(57)【要約】      （修正有）【課題】廃水の効率的な処理を可能とする廃棄物処理システムを提供する。【解決手段】廃棄物の処理に際して発生した被処理水をほぼ中性に調整するためのＰＨ調整槽１４を備え、ＰＨ調整槽が、被処理水のＰＨを測定するためのＰＨ計１４ａと、被処理水に薬剤を滴下する薬剤滴下装置１４ｂと、ＰＨ計によって測定されたＰＨに基づいて所定量の薬剤の滴下を指示する信号を薬剤滴下装置に送るコントローラ１４ｃとを有していることを特徴とする廃棄物処理システム。【選択図】図２
0003130785.tif 000002
【実用新案登録請求の範囲】
【請求項１】
廃棄物の処理に際して発生した被処理水をほぼ中性に調整するためのＰＨ調整槽を備え、前記ＰＨ調整槽が、被処理水のＰＨを測定するためのＰＨ計と、被処理水に薬剤を滴下する薬剤滴下装置と、前記ＰＨ計によって測定されたＰＨに基づいて所定量の薬剤の滴下を指示する信号を前記薬剤滴下装置に送るコントローラとを有していることを特徴とする廃棄物処理システム。
【請求項２】
前記ＰＨ調整槽において調整された被処理水を再調整してより中性化するためのＰＨ再調整槽を備え、前記ＰＨ再調整槽が、被処理水のＰＨを測定するためのＰＨ計と、被処理水に薬剤を滴下する薬剤滴下装置と、前記ＰＨ計によって測定されたＰＨに基づいて所定量の薬剤の滴下を指示する信号を前記薬剤滴下装置に送るコントローラと、被処理水を攪拌するための攪拌装置とを有していることを特徴とする廃棄物処理システム。
【考案の詳細な説明】
【技術分野】
【０００１】
本考案は一般に、廃棄物処理システムに関する。より詳細には、本考案は、廃棄物処理の際に発生する廃水を効率的に処理することができる廃棄物処理システムに関する。
【背景技術】
【０００２】
廃棄物の種類は、医療廃棄物のような無機廃棄物や、水処理から出る汚泥や生ごみのような有機廃棄物等、多岐にわたっている。従来、これらの廃棄物の処理は基本的に、処理しようとする廃棄物（以下「被処理廃棄物」という）の種類毎に（例えば、医療廃棄物は医療廃棄物のみで、汚泥は汚泥のみで）、焼却又は埋立によってそれぞれ行われている。
【０００３】
従来の処理方法では、被処理廃棄物を減容化する際に発生する廃ガスを効率的に処理するのが容易ではなかったため、本考案者等は、新規な廃棄物処理システムを提案し、廃ガスの効率的な処理を可能にした（特許文献１参照）。
【０００４】
【特許文献１】実願２００６−２０８１号
【考案の開示】
【考案が解決しようとする課題】
【０００５】
本考案は、上述の廃棄物処理システムを更に改良発展させたものであって、被処理廃棄物の減容化に際して発生する廃水の効率的な処理を可能にする廃棄物処理システムを提供することを目的としている。
【課題を解決するための手段】
【０００６】
本願請求項１に記載の廃棄物処理システムは、廃棄物の処理に際して発生した被処理水をほぼ中性に調整するためのＰＨ調整槽を備え、前記ＰＨ調整槽が、被処理水のＰＨを測定するためのＰＨ計と、被処理水に薬剤を滴下する薬剤滴下装置と、前記ＰＨ計によって測定されたＰＨに基づいて所定量の薬剤の滴下を指示する信号を前記薬剤滴下装置に送るコントローラとを有していることを特徴とするものである。
【０００７】
本願請求項２に記載の廃棄物処理システムは、前記請求項１のシステムにおいて、前記ＰＨ調整槽において調整された被処理水を再調整してより中性化するためのＰＨ再調整槽を備え、前記ＰＨ再調整槽が、被処理水のＰＨを測定するためのＰＨ計と、被処理水に薬剤を滴下する薬剤滴下装置と、前記ＰＨ計によって測定されたＰＨに基づいて所定量の薬剤の滴下を指示する信号を前記薬剤滴下装置に送るコントローラと、被処理水を攪拌するための攪拌装置とを有していることを特徴とするものである。
【考案の効果】
【０００８】
本考案によれば、廃液の中性化を確実に行うことにより、廃液の効率的な処理を可能とすることができる。
【考案を実施するための最良の形態】
【０００９】
次に添付図面を参照して、本考案の好ましい実施の形態に係る廃棄物処理システムについて詳細に説明する。図１は、本考案の好ましい実施の形態に係る廃棄物処理システムの全体を概略的に示した平面図である。図１において全体として参照符号１０で示される本考案の好ましい実施の形態に係る廃棄物処理システムは、被処理廃棄物を減容化するための圧力容器と、ガス含有水蒸気内の固体微粒子を除去するためのサイクロンと、固体微粒子が除去されたガス含有水蒸気を冷却して液化するためのコンデンサと、コンデンサで冷却され一部が液化されたガス含有水蒸気（廃液と廃ガス）を冷却するための冷却水循環タンクとを備えている。
【００１０】
廃棄物処理システム１０は又、液化した廃液を一時的に貯留するための水槽１２を備えている。水槽１２は、管路によって冷却水循環タンクと接続されている。水槽１２には、曝気装置１２ａと攪拌装置１２ｂが配置されている。曝気装置１２ａ及び攪拌装置１２ｂは、一般的な型式のものを使用してよい。
【００１１】
廃棄物処理システム１０は又、ＰＨ調整槽１４を備えている。ＰＨ調整槽１４は、攪拌・曝気された廃液のＰＨを測定し、測定したＰＨに対応して薬剤を滴下し、廃液をほぼ中性に調整する役目を果たす。ＰＨ調整槽１４には、廃液のＰＨを測定するＰＨ計１２ａ、薬剤滴下装置１２ｂ、及びＰＨ計１２ａによって測定されたＰＨに基づいて薬剤滴下の指示信号を薬剤滴下装置１２ｂに送るコントローラ１２ｃが配置されている。
【００１２】
廃棄物処理システム１０は又、ＰＨ再調整槽１６を備えている。ＰＨ再調整槽１６は、ＰＨ調整槽１４においてＰＨ調整された廃液のＰＨを再び測定し、測定したＰＨに対応して薬剤を滴下し、廃液の中性化をより完全に行う役目を果たす。ＰＨ再調整槽１６には、ＰＨ調整槽１４と同様に、ＰＨ計１６ａ、薬剤滴下装置１６ｂ、及びコントローラ１６ｃの他、廃液を攪拌するための攪拌装置１６ｄが配置されている。
【００１３】
廃棄物処理システム１０は又、廃液から固形分を除去するための固液分離槽１８を備えており、固液分離槽１８には、凝集剤添加装置１８が設けられている。なお、固液分離槽１８は、所要の凝集剤を用いて固液分離を行う一般的な型式のものを用いてよい。
【００１４】
廃棄物処理システム１０は更に、被処理水の濾過前に一時的に貯留するための濾過前水槽２０と、被処理水の濾過を行うための濾過器２２と、濾過された被処理水を脱臭するための脱臭器２４と、油成分を除去するためのプレフィルター２６と、濾過等の処理が行われた被処理水を一時的に貯留するための濾過後水槽２８と、被処理水を浄水化するための浄水器３０とを備えている。
【００１５】
濾過器２２としては、硅砂を利用した型式のものが用いられる。すなわち、被処理水を異なる粒度の硅砂の層を通過させることにより、被処理水の濾過が行われる。また、脱臭器２４としては、活性炭を利用した型式のものが用いられる。また、プレフィルター２６としては、布フィルターが用いられる。浄水器３０としては、逆浸透膜を利用した型式のものが用いられる。被処理水の量に応じて、逆浸透膜の個数が増減される。
【００１６】
以上のように構成された廃棄物処理システム１０の作動について説明する。まず最初に、圧力容器のハッチを開けて、被処理廃棄物を投入口から圧力容器内に投入する。次いで、ボイラを始動させて、圧力容器内に飽和蒸気を供給し、圧力容器内の圧力を保持するとともに、モータを作動させてシャフトを回転させる。すると、圧力容器内の廃棄物は、加圧加水下において徐々にゲル化し、減容化する。そして、所望の減容化が完了すると、圧力容器内の減圧を開始し、次いで、ゲル化した廃棄物を冷却した後、ハッチを開放して、減容化した廃棄物を圧力容器から排出する。このようにして排出された廃棄物は、所定の産業廃棄物処理場（図示せず）に搬送されて処理される。
【００１７】
一方、圧力容器内での廃棄物のゲル化に際して発生するガス含有水蒸気が、管路を介してサイクロンに送られ、固体微粒子が除去される。次いで、ガス含有水蒸気は、管路を介してコンデンサに送られて冷却され、その一部が液化されて廃液となる（換言すると、ガス含有水蒸気が廃液と廃ガスに分離される）。次いで、廃液と廃ガスは、管路を介して冷却水循環タンクに送られて冷却された後、廃液は、管路を介して水槽１２に送られ、廃ガスは、別の管路を介して水槽１２に送られる。
【００１８】
このようにして水槽１２に送られた廃液（被処理水）は、一時的に貯留され、攪拌・曝気される。次いで、攪拌・曝気した被処理水は、ＰＨ調整槽１４に移動し、ＰＨを測定される。そして、被処理水がアルカリ性であると判定された場合には、コントローラ１２ｃより、所定量（ほぼ中性になる程の量）の酸性溶液（例えば硫酸）が滴下されるように薬剤滴下装置１２ｂに信号が出され、被処理水に酸性溶液が滴下される。これに対し、被処理水が酸性であると判定された場合には、コントローラ１２ｃより、所定量のアルカリ性溶液（例えば水酸化ナトリウム）が滴下されるように薬剤滴下装置１２ｂに信号が出され、被処理水にアルカリ性溶液が滴下される。
【００１９】
次いで、ほぼ中性化された被処理水は、ＰＨ再調整槽１６に移動し、再びＰＨを測定される。その際、測定の精度を高めるため、被処理水を攪拌装置１６ｄにより攪拌するのが好ましい。測定によってほぼ中性（例えばＰＨ＝７．５〜８．５程度）であると判定された場合には、被処理水は次の固液分離槽１８に移動するが、酸性又はアルカリ性であると判定された場合には、ＰＨ調整槽１４における場合と同様に、ほぼ中性となるようにアルカリ性溶液又は酸性溶液が滴下される。
【００２０】
次いで、ほぼ中性化された被処理水は、固液分離槽１８に移動する。そして、固液分離槽１８において被処理水に凝集剤を添加することによりフロックが形成され、固形分を除去することができる。
【００２１】
次いで、被処理水は、濾過前水槽２０に移動して一時的に貯留される。次いで、被処理水を濾過器２２を通過させて濾過し、更に脱臭器２４を通過させて活性炭を利用することにより脱臭する。そして、この時点で吸収されなかった油成分は、プレフィルター２６を通過させることにより、回収される。
【００２２】
濾過等の処理が行われた被処理水は、濾過後水槽２８に移動して一時的に貯留される。そして、浄水器３０に送られて浄水化された後、浄水タンク（図示せず）に送られる。このようにして浄水化された水は、ボイラ装置に供給したり工場内で使用する水として再利用される。或いは、ＢＯＤを再調整することにより、下水道や河川に放流することもできる。
【００２３】
一方、廃ガスは、水洗装置に送られ、その底部から内部に流入し、頂部から流出するが、その際、波形板に付着した触媒に接触し、シャワーヘッドから噴射される水により水洗され、フィルタにより濾過される。これにより、廃ガスの滅菌及び脱臭が行われる。水洗装置から流出した廃ガスは、管路を介して、脱臭装置に到達し、脱臭装置において脱臭された後、排気される。
【００２４】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【図面の簡単な説明】
【００２５】
【図１】本考案の好ましい実施の形態に係る廃棄物処理システムの全体概略図である。
【図２】図１の廃棄物処理システムに設置される水槽、ＰＨ調整槽、ＰＨ再調整槽、及び固液分離槽を模式的に示した部分断面図である。
【符号の説明】
【００２６】
１０  廃棄物処理システム
１２  水槽
１４  ＰＨ調整槽
１６  ＰＨ再調整槽
１８  固液分離槽
２０  濾過前水槽
２２  濾過器
２４  脱臭器
２６  プレフィルター
２８  濾過後水槽
３０  浄水器
【図１】
0003130785.tif 000003
【図２】
0003130785.tif 000004
【手続補正書】
【提出日】平成19年1月30日(2007.1.30)
【手続補正１】
【補正対象書類名】実用新案登録請求の範囲
【補正対象項目名】全文
【補正方法】変更
【補正の内容】
【実用新案登録請求の範囲】
【請求項１】
廃棄物の処理に際して発生した被処理水をほぼ中性に調整するためのＰＨ調整槽を備え、前記ＰＨ調整槽が、被処理水のＰＨを測定するためのＰＨ計と、被処理水に薬剤を滴下する薬剤滴下装置と、前記ＰＨ計によって測定されたＰＨに基づいて所定量の薬剤の滴下を指示する信号を前記薬剤滴下装置に送るコントローラとを有していることを特徴とする廃棄物処理システム。
【請求項２】
前記ＰＨ調整槽において調整された被処理水を再調整してより中性化するためのＰＨ再調整槽を備え、前記ＰＨ再調整槽が、被処理水のＰＨを測定するためのＰＨ計と、被処理水に薬剤を滴下する薬剤滴下装置と、前記ＰＨ計によって測定されたＰＨに基づいて所定量の薬剤の滴下を指示する信号を前記薬剤滴下装置に送るコントローラと、被処理水を攪拌するための攪拌装置とを有していることを特徴とする請求項１に記載の廃棄物処理システム。